(57)【要約】【課題】宇宙環境における、耐熱性および耐冷性、その熱衝撃に対する耐性などの、耐環境性能に優れた太陽電池セルおよび太陽電池モジュールを提供することを目的とする。【解決手段】本発明は上記課題に鑑みてなされたものであり、本発明の太陽電池セルは、太陽電池セルの受光面側の表面にシリコーン樹脂層、またはシリコーン樹脂および金属合金薄膜が設けられ、太陽電池セルの受光面と反対側の面に芯材からなる支持体層が設けられていることを特徴とする。【選択図】図１
2010245175.tif 000002
【特許請求の範囲】
【請求項１】
フレキシブル性を有する太陽電池セルであって、
前記太陽電池セルの受光面側の表面にシリコーン樹脂層、またはシリコーン樹脂層および金属合金薄膜が設けられており、
前記太陽電池セルの受光面と反対側の面に芯材からなる支持体層が設けられていることを特徴とする太陽電池セル。
【請求項２】
前記シリコーン樹脂層の厚さは、７０μｍ以上である、請求項１に記載の太陽電池セル。
【請求項３】
前記太陽電池セルの受光面の反対側の面に、前記支持体層とシリコーン樹脂層とが設けられており、
前記太陽電池セルの受光面の反対側に設けられたシリコーン樹脂層の層厚は、前記太陽電池セルの受光面側に形成されたシリコーン樹脂層の層厚よりも小さい、請求項１または２に記載の太陽電池セル。
【請求項４】
前記金属合金薄膜は、酸素を含む金属合金からなり、前記太陽電池セルの受光面側に設けられた前記シリコーン樹脂層の表面に形成されている、請求項１〜３のいずれかに記載の太陽電池セル。
【請求項５】
前記芯材は、柔軟性を有するフィルムである、請求項１〜４のいずれかに記載の太陽電池セル。
【請求項６】
前記芯材は、無機繊維または有機樹脂繊維からなる織布または不織布である、請求項１〜４のいずれかに記載の太陽電池セル。
【請求項７】
フレキシブル性を有する複数の太陽電池セルがインターコネクタにより接続された太陽電池モジュールであって、
前記太陽電池モジュールの受光面側の表面にシリコーン樹脂層、またはシリコーン樹脂および金属合金薄膜が設けられており、
前記太陽電池モジュールの受光面と反対側の面に芯材からなる支持体層が設けられていることを特徴とする太陽電池モジュール。
【請求項８】
前記太陽電池モジュールの受光面側に設けられた前記シリコーン樹脂層の厚さは、７０μｍ以上である、請求項７に記載の太陽電池モジュール。
【請求項９】
前記太陽電池モジュールの受光面の反対側の面に、前記支持体層とシリコーン樹脂層が設けられており、
前記太陽電池モジュールの受光面の反対側に設けられた前記シリコーン樹脂層の層厚は、前記太陽電池モジュールの受光面側に設けられた前記シリコーン樹脂層の層厚よりも小さい、請求項７または８に記載の太陽電池モジュール。
【請求項１０】
前記金属合金薄膜は、酸素を含む金属合金からなり、前記太陽電池モジュールの受光面側に設けられた前記シリコーン樹脂層の表面に形成されている、請求項７〜９のいずれかに記載の太陽電池モジュール。
【請求項１１】
前記芯材は、柔軟性を有するフィルムである、請求項７〜１０のいずれかに記載の太陽電池モジュール。
【請求項１２】
前記芯材は、無機繊維または有機樹脂繊維からなる織布または不織布である、請求項７〜１０のいずれかに記載の太陽電池モジュール。
【請求項１３】
前記シリコーン樹脂層は、シリコーンフィルムからなる、請求項７〜１２のいずれかに記載の太陽電池モジュール。
【発明の詳細な説明】
【技術分野】
【０００１】
本発明は、太陽電池セルに関し、特に、フレキシブル性のある太陽電池セルを用いた太陽電池モジュールに関連する。
【背景技術】
【０００２】
フレキシブル性を有する従来の技術に基づいた太陽電池セルの一例を図７および図８に示す。半導体基板上にエピタキシャル成長させた後、半導体基板とエピタキシャル成長された素子層を分離することにより作成した少なくとも１つの層がエピタキシャル成長された層厚が５０μｍ以下で、少なくとも１つ以上のｐｎ接合を持つ単結晶薄膜層７６の面上にｎ電極パッド７７が形成され、その反対の面上には電極または半導体層を支持するための保持材料として、１００μｍ以下の金属薄膜７３が形成されている。また、ｎ電極パッド７７が形成されている面側には、金属薄膜７３より半導体層のｐｎ接合を介さずに電気的に接続しているｐ電極パッド７４が形成されている。この光電変換素子を他の回路もしくは別の光電変換素子へ電気的に接続するためにそれぞれの電極パッド７４，７７に対してインターコネクタ７５，７９がパラレルギャップ溶接等により電気的に接続されている。
【０００３】
図７および図８に示す光電変換素子である太陽電池セルは、半導体層が極薄膜であるため軽量の上にフレキシブル性に富むという特徴を有している。また、場合によってはこの光電変換素子はセル裏面に保護用のポリイミド等の樹脂フィルムが接着されている。太陽電池モジュールを作製する際には複数の太陽電池セルを直列または並列に接続し、保護素子としてのバイパスダイオードを太陽電池セルに並列に接続して透明フィルム８０およびシリコーン樹脂７８等の接着剤により封止を行なう。
【０００４】
従来の既に汎用されているフレキシブル性のない太陽電池モジュールは、フレキシブル性のない太陽電池セルを用いるとともに、硬いガラス板でその強度を維持し、そのガラスと太陽電池セルの熱膨張係数の違いなどの歪は、その間に設けられたＥＶＡなどの弾力性をもつ固形樹脂材で吸収させていた。しかしながら大きな歪については十分に緩和されることは無く、大きな歪を加えると、場合によっては太陽電池セルが割れてしまう場合がある。また別の問題として、経時変化による劣化が挙げられる。通常、使用年数が多くなるに従い、ガラスとセルの間の樹脂は紫外線などの環境によって劣化し、色素沈着を起こすことによって、全体の効率を落としていく。一方、フレキシブル性のある太陽電池セルやそれを用いたモジュールの場合には、太陽電池セルとそれを覆って保護するフィルム自体が、本質的にフレキシブルであるため、元々歪がたまりにくい構造ではあるが、曲げた時に生じるその部材の変形に伴う位置のずれが、フレキシブルセルに歪として加えられる。また、これらの熱膨張係数の違いによる歪も小さくは無く、これらも歪として太陽電池セルに加えられる。
【０００５】
この他に、太陽電池セルの表面を透明フィルムで覆う方法も幾つか提案されており、例えば特開２０００−１７４２９６号公報（特許文献１）のような、透明フィルムとＥＶＡフィルムとを組み合わせて用いた形も報告されている。
【先行技術文献】
【特許文献】
【０００６】
【特許文献１】特開２０００−１７４２９６号公報
【発明の概要】
【発明が解決しようとする課題】
【０００７】
このようなフレキシブル性を有する太陽電池セルまたは太陽電池モジュールは、運搬容易性などの点から宇宙環境での使用が検討されている。しかしながら、フレキシブル性を維持しながら耐宇宙環境性能を満たすようなフレキシブル太陽電池セル用カバーフィルムは現在見つかっておらず、フレキシブル性を有する太陽電池セルを宇宙用として実現するために、大きな障害となっている。特に、太陽電池セルの受光面を保護する透過性のフィルムは、発電のために避けることが出来ない紫外線の照射と、実質的に避けることが出来ない放射線の照射の両方に対して耐性を持っていなければならないが、有機フィルムの分子構造の特徴上、それらに対して完全に耐性のある有機フィルムは存在していない。例えば、紫外線を全く吸収しないような紫外線に強い有機フィルムは、放射線によって分子間の結合が切られやすく、放射線によって膜形状を維持できなくなったりする。逆に、複数の結合を持つことによって分子間の結合が切れにくくなっている有機フィルムは、紫外線を吸収しやすく、紫外線によって膜の色が黄変しやすくなる。
【０００８】
また宇宙環境においては強烈な紫外線や電子線以外にも陽子線などの宇宙線と呼ばれる放射線や、耐熱性および耐冷性と、その熱衝撃に対する耐性、宇宙環境に存在する化学反応性の高い原子状酸素等、克服しなければならない耐環境性能が多くある。
【課題を解決するための手段】
【０００９】
本発明は上記課題に鑑みてなされたものであり、本発明の太陽電池セルは、太陽電池セルの受光面側の表面にシリコーン樹脂層が設けられ、太陽電池セルの受光面と反対側の面に芯材からなる支持体層が設けられていることを特徴とする。また、本発明の太陽電池モジュールは、フレキシブル性を有する複数の太陽電池セルがインターコネクタにより接続された太陽電池モジュールであって、太陽電池モジュールの受光面側の表面にシリコーン樹脂層、またはシリコーン樹脂層と金属合金薄膜とが設けられており、太陽電池モジュールの受光面と反対側の面に芯材からなる支持体層が設けられていることを特徴とする。
【発明の効果】
【００１０】
本発明の太陽電池セルおよび太陽電池モジュールは、その受光面に従来の太陽電池セルおよび従来の太陽電池モジュールで用いられていたような透明フィルムを有しておらず、シリコーン樹脂層を用いているので、紫外線や放射線に強く、且つフレキシブル性を持った太陽電池モジュールの作製が可能となる。
【図面の簡単な説明】
【００１１】
【図１】本実施の形態１に係る太陽電池セルを示す概略断面図である。
【図２】本実施の形態２に係る太陽電池セルを示す概略断面図である。
【図３】本実施の形態３に係る太陽電池セルを示す概略断面図である。
【図４】本実施の形態４に係る太陽電池モジュールにおける単位太陽電池セルを示す概略断面図である。
【図５】本実施の形態４に係る太陽電池モジュールの概略断面図である。
【図６】本実施の形態５に係る太陽電池モジュールの製造方法の概略を示す断面図である。
【図７】従来の太陽電池セルを示す概略断面図である。
【図８】従来の太陽電池セルにおける配線形態を示す概略図である。
【発明を実施するための形態】
【００１２】
以下、本発明の実施の形態について説明する。なお、本発明の図面において、同一の参照符号は、同一部分または相当部分を表わすものとする。
【００１３】
（実施の形態１）
本発明の太陽電池セルは、フレキシブル性を有する太陽電池セルであって、太陽電池セルの受光面側の表面にシリコーン樹脂層が設けられ、太陽電池セルの受光面と反対側の面に芯材からなる支持体層が設けられていることを特徴とする。
【００１４】
図１に、本発明の太陽電池セルの典型的な断面模式図を示す。図１に示す太陽電池セルにはインターコネクタが接続されており（以下において、インターコネクタ付き太陽電池セルということがある）、単結晶薄膜層６の受光面側に、ｎ電極パッド７と、ｐ電極パッド４と、ｎ電極パッド７上に設けられたインターコネクタ９と、ｐ電極パッド４上に設けられたインターコネクタ５を備え、単結晶薄膜層６の受光面と反対側に金属箔膜３を備えている。また、場合によってはその金属薄膜３上に更に保護用のポリイミド等の樹脂フィルムが接着されている。そして、この太陽電池セルの受光面側の表面に、シリコーン樹脂層８が設けられており、受光面の反対側には芯材からなる支持体層１が設けられている（以下、太陽電池セルの受光面側の表面に設けられるシリコーン樹脂層８を受光面シリコーン樹脂層ということがある）。
【００１５】
本発明の太陽電池セルは、図１に示すように、その受光面側の表面がシリコーン樹脂層８により構成されており、従来のフレキシブル性を有する太陽電池セルに用いられている透明フィルムやＥＶＡフィルムが形成されていないので、紫外線および放射線への耐性の両立が可能となる。
【００１６】
太陽電池の受光面側の表面に設けられる上記シリコーン樹脂層８は、透過性の樹脂であるシリコーン樹脂により形成される。このようなシリコーン樹脂としては、特に限定されず、太陽電池セルの受光面側に設けられる従来公知のシリコーン樹脂をいずれも採用することができるが、特に宇宙用として用いるのであれば、宇宙用途として製造されているシリコーン樹脂を用いることが望ましい。上記シリコーン樹脂層８は、このようなシリコーン樹脂から作られたフィルムを用いることもできる。なお、本発明において、太陽電池セルの受光面側の最表面に存在するシリコーン樹脂層は、耐環境性などの点から、例えば市販されているものであれば、宇宙用途の封止・接着材として実績のあるダウ・コーニング社製のDOW CORNING（登録商標）93−500（商品名）などのシリコーン樹脂により上記受光面シリコーン樹脂層を形成することが好ましい。
【００１７】
上記受光面シリコーン樹脂層は、その厚みが２０μｍ以上であることが好ましく、７０μｍ以上であることが好ましい。上記受光面シリコーン樹脂層がこのような厚みを満たす場合は、紫外線および放射線に対する耐性の両立が良好である。一方、太陽電池セルのフレキシブル性の点からは、上記受光面シリコーン樹脂層の厚みは、１５０μｍ以下であることが望ましい。本発明において、このようなシリコーン樹脂層の厚みとは、太陽電池セル表面からの厚みをいうものとする。
【００１８】
受光面側に設けられる上記受光面シリコーン樹脂層だけでは物理的強度が弱いために、フレキシブル性のある太陽電池セルを保持できないので、本発明においては、受光面と反対側に芯材からなる支持体層１を設けることで、太陽電池セルおよび太陽電池モジュールとして必要な物理的強度を確保することが可能となる。
【００１９】
上記支持体層１は、接着層２を接着剤としてセル裏面側に保持される。この接着層２は、シリコーン樹脂により構成され、該シリコーン樹脂としては、上記受光面シリコーン樹脂層を構成するシリコーン樹脂と同様に透過性の樹脂であってもよいし、受光面と反対側にあるので、着色している透過性の低いまたは非透過性の樹脂でも構わない。このような透過性または着色したシリコーン樹脂としては、従来公知のものを用いることができる。接着層２の厚みは、特に限定されないが、通常支持体層１との接着を良好なものとする点から、１μｍ〜１００μｍとする。
【００２０】
上記支持体層１を構成する芯材は、受光面と反対側に設置するので紫外線または放射線の暴露により着色されるものであっても問題はないが、紫外線または放射線に対する脆化等により物理的強度が損なわれず、そのような物理的強度を維持することができる素材であることが重要となる。例えば支持体層を構成する芯材としてフッ素系有機材料を用いると放射線により脆化及び分解が発生し、支持体としての機能が無くなるという問題がある。
【００２１】
本発明における上記支持体層１を構成する芯材としては、宇宙環境においての耐熱性（＋１５０℃程度）と耐冷性（−１８０℃程度）を兼ね備えた材料であることが望ましい。また、紫外線または放射線の照射によって分解を起こさないことが望ましい。このように紫外線または放射線の照射によって分解を起こさず、上記耐熱性および耐冷性のある材料の一例としては、ポリイミドフィルム、ＰＥＮ（ポリエチレンナフタレート）フィルム、ＰＥＴ（ポリエチレンテレフタレート）フィルム等の樹脂フィルムや、ケブラー等の有機樹脂繊維や、ガラス、カーボン等の無機繊維を用いても良い。これらは単独で用いてもよく、複数を混合して用いてもよい。
【００２２】
また、上記芯材からなる支持体層１の形状としては、柔軟性を有するフィルム状であっても、無機繊維または有機樹脂繊維などの繊維を重ねた網状の不織布状または織布状であっても構わない。なかでも、支持体層１を構成する芯材として、無機繊維または有機樹脂繊維からなる不織布または織布を用いる場合は、紫外線や放射線などの照射に対する耐性が高く、機械的強度を十分に維持することができるので好ましい。
【００２３】
上記支持体層１の厚みは、上記受光面シリコーン樹脂層の厚みや、支持体層１を構成するフィルムや繊維などの強度により適宜変更すればよいが、たとえば、５０μｍ〜２０００μｍとすることが好ましく、１００μｍ〜５００μｍとすることが好ましい。支持体層１の厚みを上記のような範囲とすることによって、太陽電池セルまたはモジュールのフレキシブル性と機械的強度の両方を良好に保つことができる。
【００２４】
上記受光面シリコーン樹脂層を構成するシリコーン樹脂と、上記支持体層を構成する芯材とは、その熱膨張係数の差が小さいことが好ましく、また、シリコーン樹脂および芯材と太陽電池セルとの熱膨張係数の差が小さいことが望ましい。一般的に半導体や金属類を主材料とする太陽電池セルの熱膨張係数の絶対値は樹脂類と比べて小さく、１０の−５乗台から１０の−６乗台（単位：Ｋ-1）であるが、受光面シリコーン樹脂層を構成するシリコーン樹脂は１０の−４乗台以下が望ましく、支持体層を構成する芯材は１０の−５乗台以下が望ましい。熱膨張係数がこのような範囲を満たす場合は、温度変化に対する耐性が良好となり、太陽電池セルまたはモジュールの湾曲に対しても抑制することができる。
【００２５】
本実施の形態１によれば、紫外線や放射線に強く、且つフレキシブル性を持った高効率太陽電池セルが得られる。
【００２６】
（実施の形態２）
上記実施の形態１における太陽電池セルの受光面の反対側の面に、支持体層に加えて、シリコーン樹脂層が設けられる態様も本発明の太陽電池セルに含まれる。
【００２７】
図２に、本実施の形態２における太陽電池セルの概略断面図を示す。図２においては、受光面の反対側の面に、支持体層１に加えて、シリコーン樹脂層１０が設けられている（以下において、受光面の反対側の面であって、支持体層の表面に設けられるシリコーン樹脂層１０を裏面シリコーン樹脂層ということがある）。他の太陽電池セルの構成は、図１に示すものと同様であるため、その説明は省略する。
【００２８】
実施の形態１に示す構造の太陽電池セルにおいて、受光面側のシリコーン樹脂層８を構成するとシリコーン樹脂と受光面と反対側の支持体層１を構成する芯材との熱膨張係数の差によっては、宇宙環境における高温時と低温時に、太陽電池セルの表裏において大きな応力が発生し、フレキシブルである太陽電池モジュールは大きく湾曲してしまう場合もあり得る。この湾曲により太陽電池セルのクラックやインターコネクタの断線等が発生するため、太陽電池モジュールの信頼性が低下してしまう場合がある。このような湾曲の発生は、図２に示すように芯材からなる支持体層１表面上にシリコーン樹脂層１０を設置することにより防ぐことができる。
【００２９】
シリコーン樹脂層１０は、上記太陽電池セルの受光面側の表面に設けられる受光面シリコーン樹脂層を構成するシリコーン樹脂と同様のシリコーン樹脂からなる層とすることができる。また、受光面とは反対側の面であることから、実施の形態１における上記接着層２のように、着色したシリコーン樹脂であっても、上記湾曲防止の効果は奏される。
【００３０】
上記シリコーン樹脂層１０（裏面シリコーン樹脂層）を設ける場合、太陽電池セルの受光面と反対側に設けられる接着層２とシリコーン樹脂層１０との合計層厚が、上記受光面側に設けられたシリコーン樹脂層８の層厚と近くなればなるほど、太陽電池セルに対する熱応力が小さくなり、その結果、太陽電池モジュールの熱変化による湾曲が解消される。太陽電池セルの受光面側に設けられたシリコーン樹脂層８の層厚と、上記合計層厚とは、各層を構成するシリコーン樹脂にもよるが、その厚みの差がその層厚の２０％程度以下であることが好ましい。また、受光面と反対側に設けられるシリコーン樹脂層１０は、上記受光面側に設けられるシリコーン樹脂層８の層厚よりも小さいことが好ましい。受光面と反対側に設けられるシリコーン樹脂層１０が、受光面側のシリコーン樹脂層８の層厚よりも大きくなった場合は、熱変動による支持体層１の湾曲が大きくなるからである。
【００３１】
本実施の形態２によれば、紫外線や放射線に強く、且つフレキシブル性を持った高効率太陽電池セルが得られる。
【００３２】
（実施の形態３）
本発明の太陽電池セルは、太陽電池セルの受光面側の表面に金属合金薄膜を設ける態様を含む。金属合金薄膜は、シリコーン樹脂層の環境耐性を補う目的で設けられる。このような目的から、金属合金薄膜は、太陽電池セルの受光面側の表面に限らず、実施の形態２のように裏面シリコーン樹脂層を有する場合はその表面にも設けることができる。本実施の形態３においては、このように太陽電池セルの表裏にシリコーン樹脂層が存在し、その表面に金属合金薄膜を設けた形態の太陽電池セルについて説明する。
【００３３】
図３に本実施の形態３における太陽電池セルの概略断面図を示す。図３においては、受光面側に、シリコーン樹脂層８が設けられており、その表面に金属合金薄膜１１が設けられている。また、受光面と反対側の面に支持体層１に加えてシリコーン樹脂層１０が設けられており、その表面にさらに金属合金薄膜１１が設けられている。他の太陽電池セルの構成は、図１や図２に示すものと同様であるため、その説明は省略する。
【００３４】
金属合金薄膜１１は、酸素を含む金属合金からなり、このような材料の好ましい一例としては、ＳｉＯ2、ＡｌＯ3、ＴｉＯ2、ＺｎＯ、ＩＴＯ等がある。シリコーン樹脂が太陽電池セルまたはモジュールの最表面に存在する場合には、宇宙空間に存在する原子状酸素によりシリコーン樹脂表面が侵食され、透明なシリコーン樹脂が白色化する場合がありうるが、酸素を含む金属合金で金属合金薄膜１１を設けることによりこれを防ぐことが可能となる。また、シリコーン樹脂単体ではそのタック性によりシリコーン表面上に太陽電池モジュールを衛星筐体に設置する際に埃等がつき易くなるため取扱が難しくなることもあるが、上記のように金属合金薄膜１１を設置することによりシリコーン樹脂のタック性を消失させることができ、取扱が極めて容易になる。
【００３５】
上記金属合金薄膜１１を構成する材料のうち、ＺｎＯ、ＩＴＯ等の導電性のある酸素を含む金属合金を用いる場合は、宇宙空間で発生する静電気により太陽電池モジュールが帯電することを防ぐことが可能となる。なお、シリコーン樹脂層を太陽電池セルの表裏に有する場合は、上述のように、金属合金薄膜は太陽電池受光面およびその反対側の芯材表面の両シリコーン樹脂層の表面に対して実施した方が効果的である。
【００３６】
上記金属合金薄膜１１の厚みは、上記各シリコーン樹脂層の表面全体を被覆すればその厚みは特に限定されないが、耐環境性や取扱の容易性の点からは、１０ｎｍ〜１μｍとすることが好ましい。このような金属合金薄膜１１は、蒸着など一般的な薄膜形成方法によってシリコーン樹脂層表面に形成することができる。
【００３７】
本実施の形態３によれば、紫外線や放射線に強く、且つフレキシブル性を持った高効率太陽電池セルが得られる。
【００３８】
（実施の形態４）
本発明は、フレキシブル性を有する複数の太陽電池セルがインターコネクタにより接続された太陽電池モジュールであって、太陽電池モジュールの受光面側の表面にシリコーン樹脂層や金属合金薄膜が設けられており、太陽電池モジュールの受光面と反対側の面に芯材からなる支持体層が設けられていることを特徴とする太陽電池モジュールに関する。
【００３９】
上記太陽電池モジュールを構成する複数の太陽電池セルは、上記本発明の太陽電池セルの各構成を採用することができる。
【００４０】
図４、５に本実施の形態４における太陽電池モジュールであって、受光面側の表面にシリコーン樹脂層とその表面に金属合金薄膜を有する太陽電池モジュールにおいてシリコーン樹脂層をシリコーンフィルムにより形成する一例を示す。図４は太陽電池モジュールにおける単位太陽電池セルの概略図を示し、図５は複数の太陽電池セルが接続された太陽電池モジュール構造である。
【００４１】
図４および図５に示す太陽電池モジュールにおいては、各単位太陽電池セルのインターコネクタを接続して（図５中の接続部１３）、太陽電池セルストリングを形成する。この太陽電池セルストリングに、シリコーン樹脂により構成する接着層２を形成することにより、接着剤としての機能を付与して、その表面に太陽電池受光面側にシリコーン樹脂層１２を形成する。この方法により容易に一定の厚み精度を持ったシリコーン樹脂層１２の形成が可能となる。また、シリコーン樹脂層１２の表面に、予め酸素を含む金属合金からなる金属合金薄膜１１を形成しておくことが可能となり、製造プロセスの簡易化が可能となる。
【００４２】
シリコーン樹脂層１２および金属合金薄膜１１の構成材料や、層厚などは、上記太陽電池セルにおけるシリコーン樹脂層および金属合金薄膜と同様の構成とすることができる。また、図４および図５における接着層２としては、太陽電池セルまたは太陽電池モジュールの受光面と反対側に設けられる接着層２については、上記実施の形態１から３に示す太陽電池セルにおける構成と同様にすればよい。一方、受光面側に設けられる接着層２については、フレキシブル性などの観点から数十μｍ程度の厚みとすることが好ましい。
【００４３】
本実施の形態４によれば、紫外線や放射線などへの耐性に優れ、かつフレキシブル性を有する高効率太陽電池モジュールが得られる。
【００４４】
（実施の形態５）
図４および図５に示す太陽電池モジュールのシリコーン樹脂層１２は、図６に示すように、金型１４を用いて複数の太陽電池セルをモールドして形成することができる。図６は、本実施の形態５に係る太陽電池モジュールの製造方法の概略を示す断面図である。予め芯材からなる支持体層１に太陽電池セルまたモジュールをシリコーン樹脂からなる接着層１２により接着して設置し、その後シリコーン樹脂によりモールドすることで、図４に示すように太陽電池受光面側と受光面の反対側にシリコーン樹脂層１２を１回のプロセスにより形成して、太陽電池モジュールを製造することが可能となる。
【００４５】
本実施の形態５によれば、紫外線や放射線などへの耐性に優れ、かつフレキシブル性を有する高効率太陽電池モジュールが得られる。
【００４６】
以上のように本発明の実施の形態および実施例について説明を行なったが、上述の各実施の形態および実施例の構成を適宜組み合わせることも当初から予定している。
【００４７】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４８】
１  支持体層、２  接着層、３  金属箔膜、４  ｐ電極パッド、５，９  インターコネクタ、６  単結晶薄膜層、７  ｎ電極パッド、８，１０  シリコーン樹脂層、１１  金属合金薄膜。
【図１】
2010245175.tif 000003
【図２】
2010245175.tif 000004
【図３】
2010245175.tif 000005
【図４】
2010245175.tif 000006
【図５】
2010245175.tif 000007
【図６】
2010245175.tif 000008
【図７】
2010245175.tif 000009
【図８】
2010245175.tif 000010